(57)【要約】      （修正有） 【課題】カバーで覆われた基板に保持された電池の交換作業を容易にすること。  【解決手段】交換可能な電池４を保持する電池保持部４１が形成された基板３を覆うためのカバー５の構造において、前記電池保持部に対応する前記カバー部分５に、前記電池を着脱し得る大きさの切欠き部６を形成した。特に、前記基板が略垂直に配設される基板の場合には、前記切欠き部の少なくとも下縁部分には、取り外した電池がカバーと基板の間に落下することを防止する落下防止ガイド６２を形成した。【選択図】図５
2005166721.tif 000002
【特許請求の範囲】
【請求項１】
交換可能な電池を保持する電池保持部が形成された基板を覆うためのカバーの構造において、
前記カバーにおける、前記電池保持部に対応する部分に、前記電池を着脱し得る大きさの切欠き部を形成したことを特徴とする基板のカバー構造。
【請求項２】
前記基板は略垂直に配設される基板であって、
前記切欠き部の少なくとも下縁部分には、取り外した電池がカバーと基板の間に落下することを防止する落下防止ガイドが形成されていることを特徴とする請求項１に記載の基板のカバー構造。
【請求項３】
箱型の筐体を備え、前面に操作パネルが配設された卓上型の無線通信機であって、
前記筐体の少なくとも天面は開閉可能に構成され、
前記操作パネルの裏側には略垂直に配設された電子回路の基板が配設され、
前記基板の裏面には交換可能な電池を保持する電池保持部が形成され、
前記基板のさらに裏側には、当該基板を覆うためのカバーが配設されてなる無線通信機において、
前記カバーにおける、前記電池保持部に対応する部分に、前記電池を着脱し得る大きさの切欠き部を形成したことを特徴とする無線通信機。
【発明の詳細な説明】
【技術分野】
【０００１】
本発明は、卓上載置型のアマチュア無線機のような箱型の筐体の内部の基板に保持された電池の交換を容易にするための構造に関するものである。
【背景技術】
【０００２】
従来より、例えば、図６に示したように、卓上載置型で大型の高性能のアマチュア無線機100は、その前面には液晶ディスプレイ装置や各種操作スイッチ・ツマミ等を備えた操作パネル110が配設されており、前記操作パネルの裏側には、これらの液晶ディスプレイ装置や各種操作スイッチ・ツマミ等を制御したり、操作情報を処理するための電子回路が形成された基板120が配設されているものがある。そして、前記基板の更に裏側には前記電子回路をシールドして、無線通信の送受信回路との干渉を防ぐための金属製のカバー130が配設されている。
近年、前記電子回路は、マイクロプロセッサを用いて高度な制御や処理を行うように構成され、その場合の制御データや設定データを保持するための例えばボタン型のバックアップ電池140を備えているようになってきている。
そのような卓上載置型の大型で高性能のアマチュア無線機は、高度な知識と経験を持ったユーザによって、長年にわたって使用されることが多いため、ユーザ自身の手によって前記バックアップ電池が交換される場合もある。
【０００３】
このように、ユーザ自身の手によって前記バックアップ電池を交換する場合の作業は、図７に示したように、次のように大変手間の係る作業である。
（１）筐体の天面もしくは天面を含む上部カバー101を外す。
（２）操作パネル110を取り外すか、若干持ち上げて前方へ傾ける。
（３）操作パネル110の裏側の基板120に被せられているシールド用の金属製のカバー130を取り外す。
（４）バックアップ電池140を電池保持部141から取り外して、新しい電池142を装着する。
このようにして電池を交換した後、元の状態に戻すために、さらに次のような作業が必要である。
（５）前記カバー130を操作パネル110の裏側の基板120に被せる。
（６）操作パネル110を元通り固定する。
（７）上部カバー101を取り付ける。
【発明の開示】
【発明が解決しようとする課題】
【０００４】
このように、従来の構造の場合には、電池交換作業が大変面倒であるという問題があった。
【０００５】
そこで、本発明は、カバーで覆われた基板に保持された電池の交換作業を容易にすることを目的としてなされたものである。
【課題を解決するための手段】
【０００６】
本発明にかかる基板のカバー構造の請求項１は、
交換可能な電池を保持する電池保持部が形成された基板を覆うためのカバーの構造において、
前記電池保持部に対応する前記カバー部分に、前記電池を着脱し得る大きさの切欠き部を形成したことを特徴とするものである。
請求項２は、
前記基板は略垂直に配設される基板であって、
前記切欠き部の少なくとも下縁部分には、取り外した電池がカバーと基板の間に落下することを防止する落下防止ガイドが形成されていることを特徴とするものである。
請求項３の無線通信機は、
箱型の筐体を備え、前面に操作パネルが配設された卓上型の無線通信機であって、
前記筐体の少なくとも天面は開閉可能に構成され、
前記操作パネルの裏側には略垂直に配設された電子回路の基板が配設され、
前記基板の裏面には交換可能な電池を保持する電池保持部が形成され、
前記基板のさらに裏側には、当該基板を覆うためのカバーが配設されてなる無線通信機において、
前記カバーにおける、前記電池保持部に対応する部分に、前記電池を着脱し得る大きさの切欠き部を形成したことを特徴とするものである。
【発明の効果】
【０００７】
本発明の基板のカバー構造によれば、
電池保持部に対応する前記カバー部分に、前記電池を着脱し得る大きさの切欠き部を形成したので、前記カバーを装着した状態のままで、前記電池を交換することができ、前記カバーを取り外したり、再び取り付けたりする手間を省くことができ、作業効率が向上する。
また、請求項２の発明では、前記基板は略垂直に配設される基板であって、前記切欠き部の少なくとも下縁部分には電池の落下防止ガイドが形成されているので、電池保持部から取り外した電池が、カバーと基板の間に落下することを防止できて、トラブルの発生を未然に防ぐことができる。
そして、本発明の無線通信機によれば、
箱型の筐体の前面に配設された操作パネルの裏側の基板を覆うカバーに電池を着脱し得る大きさの切欠き部を形成したので、天面を開くだけで、前記カバーを取り外すことなく、電池交換ができるので、電池交換作業が簡単になる。従って、当該無線通信機を長年にわたって常に適正な状態で使用することができる。
【発明を実施するための最良の形態】
【０００８】
以下に、本発明にかかる基板のカバー構造を、その実施の形態を採用した無線通信機の図面を参照しつつ詳細に説明する。
図１は前記無線通信機の全体斜視図であり、この無線通信機１の前面の操作パネル２には大型の液晶ディスプレイ装置12や、各種操作スイッチ・ツマミ類が配設されている。
前記無線通信機１の筐体は、上部カバー13、正面の操作パネル２、背面パネル14、そして底面パネル15から構成されている。前記上部カバー13は側面のネジによって前記操作パネル２、背面パネル14、そして底面パネル15と固定されている。
【０００９】
そして、図２、３に示したように、前記操作パネル２の裏側（正面から見て操作パネル２の裏側、図２の側面図においては操作パネル２の右側。）には、プリント基板３が垂直に配設されている。このプリント基板３には、マイクロプロセッサによる制御回路と処理回路が構成されており、前記液晶ディスプレイ装置12の表示制御や、各種操作スイッチ・ツマミ類から入力される操作情報の処理を行うように構成されている。
【００１０】
図２、３に示したように、前記プリント基板３の上部には電池保持部41が設けられており、この電池保持部41にデータバックアップ用のリチウムボタン電池型の電池４が保持されている。この電池４は、ユーザが登録した周波数データ等のデータを記憶する記憶手段や、内蔵時計のデータを記憶する記憶手段のデータが消滅しないように保持するための電池である。
そして、前記プリント基板３の略前面にわたって、金属製のカバー５が被せられている。このカバー５は両側部の２個所のネジ52、53で前記操作パネル２にネジ止めされている。
このカバー５は、当該無線通信機１の主要部分である送受信回路と、前記プリント基板３の電子回路とが互いに影響し合わないように電磁シールドするためのものである。
【００１１】
前記カバー５には、Ｕ字型の切欠き部６が形成されており、この切欠き部６は、前記電池保持部41に対応する部分が切除されて、カバー５を装着した状態で、前記電池保持部41及び電池４が露出するように構成されている。
前記切欠き部６は、図３、４に示したように、前記電池保持部41を囲むようにＵ字状に切除され、切除された空間61に電池４が露出するように構成されている。
前記切欠き部６には、さらにすり鉢状に電池保持部41に向かって傾斜した傾斜面62が、電池がカバー５の内側へ落下を防止するための落下防止ガイドとして形成されている。
プリント基板３に配設された電池保持部41には、電池４を保持するとともに電極を兼ねたバネ42が備えられている。
【００１２】
以上の構成の無線通信機１において、年数が経過すると前記電池４が消耗し、交換する必要が発生する。
このときの電池交換作業の手順を、図５を参照して以下に説明する。
（１）前記上部カバー13を外す。
（２）操作パネル２の裏側のカバー５の切欠き部６に露出している古い電池４Ａを新しい電池４Ｂと交換する。
このとき、上部カバー13を外すと操作パネルの裏側が露出し、さらに操作パネルの裏側に被せられているカバー５の切欠き部６に電池４が露出しているので、カバー５を外すことなく直ちに電池交換できる。
（３）前記上部カバー13を取り付ける。
以上で、電池交換作業が終了する。
以上の交換作業は、従来の交換作業に比べると極めて簡単である。
【００１３】
また、前記切欠き部６には、電池保持部41に向かってすり鉢状に傾斜した傾斜面62が形成されているので、交換作業の途中で電池が落下した場合でも、前記傾斜面62に沿ってカバー５の外側に落下する。従って、プリント基板３とカバー５の間に落ち込んだりするというトラブルの発生を防止できる。
【実施例１】
【００１４】
本発明の実施例では、図３、４に示したように、Ｕ字型の切欠き部６の上部は開放されているので、電池交換のために指を差し込んで作業しやすいという効果が得られる。
また、前記電池保持部41には、電池の下部回りを保持するための壁状部材を設けるとよい。
【産業上の利用可能性】
【００１５】
本発明の基板のカバー構造は、無線通信機だけでなく、種々の電子機器の筐体に採用することができる。
【図面の簡単な説明】
【００１６】
【図１】本発明にかかる基板のカバー構造の実施の形態の採用した無線通信機の斜視図である。
【図２】前記無線通信機の側面断面図である。
【図３】前記無線通信機の操作パネルの裏側から見た斜視図である。
【図４】前記操作パネルの要部拡大斜視図である。
【図５】前記無線通信機における電池交換作業の説明図である。
【図６】従来の無線通信機の説明図である。
【図７】従来の無線通信機における電池交換作業の説明図である。
【符号の説明】
【００１７】
１    無線通信機
13    上部カバー
２    操作パネル
３    プリント基板、基板
４    電池
41    電池保持部
５    カバー
６    切欠き部
62    傾斜面、落下防止ガイド
【図１】
2005166721.tif 000003
【図２】
2005166721.tif 000004
【図３】
2005166721.tif 000005
【図４】
2005166721.tif 000006
【図５】
2005166721.tif 000007
【図６】
2005166721.tif 000008
【図７】
2005166721.tif 000009